(57)【特許請求の範囲】
【請求項１】
現金を収納する複数の収納部と、
前記各収納部における現金の収納量に基づいて、前記収納部内のフル状態を検知する前記収納部毎のフル状態検知部と、
前記収納部のフル状態を超えて、前記収納部内へ現金を収納することが不能な状態であることを検知する前記収納部毎の収納不能検知部と、
前記複数の収納部のいずれかに現金を集積する際、または、前記複数の収納部のいずれかに現金を集積する前の集積準備の際に、当該収納部の前記フル状態検知部によりフル状態が検知されても、他に切り替え可能な収納部があるときには、フル状態が検知された当該収納部への現金搬送を継続する制御部と
を備えること特徴とする現金処理装置。
【請求項２】
前記制御部は、前記各収納部の前記フル状態検知部の検知結果に基づいて、前記各収納部への現金搬送を制御するものであり、
前記制御部は、現金を収納する前記収納部の前記収納不能検知部により現金を収納することが不能な状態であることが検知されたときに、当該収納部の状態をフル状態に変更することを特徴とする請求項１に記載の現金処理装置。
【請求項３】
前記制御部は、現金を収納する前記収納部の前記フル状態検知部によりフル状態が検知された場合、当該収納部以外の他の収納部のうち、他に切り替え可能な収納部を、所定の優先順位で判定するものであることを特徴とする請求項１又は２に記載の現金処理装置。
【請求項４】
前記制御部は、現金を収納する前記収納部以外の他の収納部のうち、同一金種の現金を収納する他の収納部の存在を判定して、当該他の収納部がフル状態でないものを、前記他に切り替え可能な収納部として検出することを特徴とする請求項３に記載の現金処理装置。
【請求項５】
前記制御部は、現金を収納する前記収納部以外の他の収納部のうち、複数の金種を収納可能な他の収納部が存在するときに、当該他の収納部を、前記他に切り替え可能な収納部として検出することを特徴とする請求項３に記載の現金処理装置。
【請求項６】
前記制御部は、現金を収納する前記収納部以外の他の収納部のうち、異常判定された現金を収納可能な他の収納部が存在するときに、当該他の収納部を、前記他に切り替え可能な収納部として検出することを特徴とする請求項３に記載の現金処理装置。
【請求項７】
前記各収納部は、収納する現金の収納量に応じて下降するステージを備えるものであり、
前記フル状態検知部は、前記ステージの位置に応じてフル状態を検知するものであり、
前記収納不能検知部は、前記フル状態検知部の下部であって、前記ステージが前記収納部の底部又は底部付近に位置することを検知するものである
ことを特徴とする請求項１〜６のいずれかに記載の現金処理装置。
【発明の詳細な説明】
【技術分野】
【０００１】
本発明は、現金処理装置に関し、例えば、紙幣等の現金処理を行なう現金処理装置に適用し得るものである。
【背景技術】
【０００２】
例えば、金融機関等の営業店カウンタには現金処理装置が設置されている。現金処理装置は、例えば、入金取引、出金取引、整理計数等に利用される。オペレータは、現金処理装置の操作部又は現金処理装置に接続されている受付端末で、現金の入金や出金等の取引操作を行なうことができる。
【０００３】
現金処理装置は、金種毎に、紙幣を収納する複数の紙幣カセットを搭載している。それぞれの紙幣カセットに収納する収納枚数には限りがある。そのため、紙幣カセットには収納枚数を検出するための各種センサが設けられている。
【０００４】
現金処理装置の制御部は、各種センサからの検知情報に基づいて、どの金種の紙幣カセットがフル状態（満杯）であるか否かを判定する集積時のＦｕｌｌ判定処理を行なっている（特許文献１参照）。
【０００５】
また、現金処理装置の制御部は、例えば、紙幣カセットに集積する取引の開始の際（例えば入金取引の開始の際）、集積準備のフル判定処理を行なっている。
【０００６】
従来の現金処理装置の制御部が行なう、集積時のフル判定処理と、集積準備のフル判定処理とを、図２〜図４を参照して簡単に説明する。
【０００７】
図２は、現金処理装置に搭載されている紙幣カセットの構成を示す側面図である。図３は、従来の集積時のフル判定処理のフローチャートである。図４は、従来の集積準備のフル判定処理のフローチャートである。
【０００８】
図２の紙幣カセットは、紙幣５４が集積されると、ステージ５１が下降していくステージ下降タイプを例示している。
【０００９】
図２において、紙幣カセットに設けられる各種センサは、例えば、上面センサ５３１、残留センサ５３２ａ及び５３２ｂ、ニアフルセンサ５３３、フルセンサ５３４、ボトムセンサ５３５がある。
【００１０】
上面センサ５３１、残留センサ５３２ａ及び５３２ｂ、ニアフルセンサ５３３、フルセンサ５３４、ボトムセンサ５３５は、例えば、送光器から光を受光器が受光する光センサ等を用いることができる。以下では、受光器が光を受光していない状態を「暗（ＯＮ）」と表記し、受光器が光を受光している状態を「明（ＯＦＦ）」と表記する。
【００１１】
図３において、残留センサ５３２ａ及び５３２ｂが「暗（ＯＮ）」の場合（ｓ９１１）、ステージ５１が下降する（Ｓ９１２）。なお、残留センサ５３２ａ及び５３２ｂが「明」の場合、処理はＳ９１３に移行する。その後、紙幣カセットに集積され、ステージ５１が更に下降していく。
【００１２】
ステージ５１のディテクタ５２がフルセンサ５３４の位置に達して、フルセンサ５３４が「暗」となると（Ｓ９１３）、制御部は、紙幣カセットのステータスを「フル状態」とする（Ｓ９１４）。制御部は、同一金種の他の紙幣カセットがある場合には、紙幣の搬送先を切り替えて、他の搬送先に紙幣を搬送する（Ｓ９１５）。なお、１つの取引で入金された紙幣を集積できるようにするため（これを「一取引保障」という。）、フルセンサ５３４の位置からボトムセンサ５３５の位置まで集積空間ＳＰが設けられている。
【００１３】
また、フルセンサ５３４が「明」かつニアフルセンサ５３３が「暗」の場合（Ｓ９１６）、制御部は、紙幣カセットのステータスを「ニアフル状態」とし（Ｓ９１７）、制御部は現在の搬送先である紙幣カセットに紙幣を集積する（Ｓ９１８）。
【００１４】
図４において、集積準備のために、上面センサ５３１が「暗」になるまで、制御部はステージ５１の上面を上昇させる（Ｓ９２１）。その後、制御部はステージ５１を下降させていく。
【００１５】
残留センサ５３２ａ及び５３２ｂが「明」になると（Ｓ９２４）、制御部はステージ５１の下降を終了する（Ｓ９２５）。
【００１６】
ニアフルセンサ５３３が「暗」になると（Ｓ９２６）、制御部はステージダウンを終了して（Ｓ９２７）、制御部は紙幣カセットのステータスを「ニアフル状態」とする（ステップ９２８）。
【００１７】
フルセンサ５３４が「暗」になると（Ｓ９２９）、制御部はステージダウンを終了して（Ｓ９３０）、制御部は紙幣カセットのステータスを「フル状態」とする（Ｓ９３１）。
【００１８】
ボトムセンサ５３５が「暗」になると（Ｓ９３２）、制御部はステージダウンを終了して（Ｓ９３３）、制御部は紙幣カセットのステータスを「フル状態」とする（Ｓ９３４）。
【００１９】
集積準備のフル判定処理の動作で「フル状態」になった紙幣カセットには、紙幣を搬送しないようにする。
【先行技術文献】
【特許文献】
【００２０】
【特許文献１】特開２００１−２３６５４８号公報
【発明の概要】
【発明が解決しようとする課題】
【００２１】
しかしながら、従来の紙幣カセットは、図２に示すように、フルセンサ５３４とボトムセンサ５３５との間に集積空間ＳＰがあるにも拘らず、当該紙幣カセットがフル状態と判定されたときには、当該紙幣の搬送先を他の搬送先に切り替えている。従って、集積空間を有効に利用して、紙幣カセットの集積枚数を増大させることが望まれている。
【００２２】
そのため、紙幣カセットにある集積空間を有効に利用して、紙幣カセットの集積枚数を増大させることができる現金処理装置が求められている。
【課題を解決するための手段】
【００２３】
かかる課題を解決するために、本発明に係る現金処理装置は、（１）現金を収納する複数の収納部と、（２）各収納部における現金の収納量に基づいて、収納部内のフル状態を検知する収納部毎のフル状態検知部と、（３）収納部のフル状態を超えて、収納部内へ現金を収納することが不能な状態であることを検知する収納部毎の収納不能検知部と、（４）複数の収納部のいずれかに現金を集積する際、または、複数の収納部のいずれかに現金を集積する前の集積準備の際に当該収納部のフル状態検知部によりフル状態が検知されても、他に切り替え可能な収納部があるときには、フル状態が検知された当該収納部への現金搬送を継続する制御部とを備えること特徴とする。
【発明の効果】
【００２４】
本発明によれば、紙幣カセットにある集積空間を有効に利用して、紙幣カセットの集積枚数を増大させることができる。
【図面の簡単な説明】
【００２５】
【図１】第１の実施形態に係る現金処理装置における紙幣カセットの集積時のフル判定処理を示すフローチャートである。
【図２】現金処理装置に搭載されている紙幣カセットの構成を示す側面図である。
【図３】従来の集積時のフル判定処理のフローチャートである。
【図４】従来の集積準備のフル判定処理のフローチャートである。
【図５】第１の実施形態に係る現金処理装置の内部構成を示す内部構成図である。
【図６】第１の実施形態に係る現金処理装置の制御系の構成を示す構成図である。
【図７】第１の実施形態に係る現金処理装置における搬送先決定処理を示すフローチャートである。
【図８】第１の実施形態の紙幣カセットの集積枚数の増大を説明する説明図である。
【図９】第２の実施形態に係る現金処理装置における紙幣カセットの集積準備時のフル判定処理を示すフローチャートである。
【発明を実施するための形態】
【００２６】
（Ａ）第１の実施形態
次に、本発明の現金処理装置の第１の実施形態を、図面を参照しながら詳細に説明する。
【００２７】
第１の実施形態では、金融機関等の営業店カウンタに設けられている現金処理装置に本発明を適用する場合を例示する。
【００２８】
（Ａ−１）第１の実施形態の構成
図５は、第１の実施形態に係る現金処理装置の内部構成を示す内部構成図である。
【００２９】
図５において、第１の実施形態に係る現金処理装置は、入金口１１、出金口１２−１及び１２−２、一時保留部１３、紙幣認識部１４、搬送部１５、下部ユニット１８、制御部２０を有する。
【００３０】
また、下部ユニット１８は、複数の紙幣カセット１６（１６Ａ、１６Ｂ、１６Ｃ、１６Ｄ、１６Ｅ）、収納専用カセット１７を搭載する部分である。下部ユニット１８は、現金を収納する金庫として機能する部分である。下部ユニット１８には、紙幣カセット１６等を着脱する際に、開閉可能な金庫扉１９がある。セキュリティを高めるために、金庫扉１９は施錠する鍵を有している。
【００３１】
入金口１１は、オペレータが紙幣を投入する部分である。入金口１１は、多数の紙幣を収容できるようになっており、紙幣を１枚ずつ繰り出して搬送部１５に送り出す分離機能を有する。
【００３２】
出金口１２−１及び１２−２は、出金される紙幣をオペレータが受け取る部分である。出金口１２−１及び１２−２はそれぞれ、搬送部１５から１枚ずつ搬送されてきた紙幣を集積する集積機能を有する。出金口１２−１及び１２−２は、例えば紙幣を束にして出金したり、金種毎に出金先を切り替えたりすることができる。なお、この実施形態では、２個の出金口１２−１及び１２−２がある場合を例示するが、出金口は１個であっても良い。
【００３３】
紙幣認識部１４は、搬送部１５から通過する紙幣を１枚ずつ鑑別するものである。紙幣認識部１４は、紙幣の正常判定、リジェクト（以後、ＲＪと呼ぶ。）判定等を行なう。ＲＪ判定は、紙幣の真偽判定、汚損判定、損壊判定、外形異常判定等がある。紙幣認識部１４は、ＲＪ判定基準が予め設定されており、ＲＪ判定基準を参照してＲＪ判定の紙幣と判定する。
【００３４】
一時保留部１３は、入金された紙幣のうち、紙幣認識部１４により正常判定された紙幣を一時的に蓄積する部分である。一時保留部１３は、搬送部１５から搬送された１枚ずつの紙幣を集積する集積機能と、集積されている紙幣を１枚ずつ分離して搬送部１５に送り出す分離機能とを有する。
【００３５】
紙幣カセット１６（１６Ａ、１６Ｂ、１６Ｃ、１６Ｄ、１６Ｅ）はそれぞれ、紙幣を金種毎に収納する収納部の一例である。紙幣カセット１６は、入金紙幣を収納するため紙幣の集積機能を有し、集積している紙幣を１枚ずつ分離して搬送部１５に繰り出す分離機能を有する。また、紙幣カセット１６は、カセットの交換を可能とするため、現金処理装置１の本体から着脱可能である。
【００３６】
図２は、第１の実施形態に係る紙幣カセット１６の構成を示す側面図である。
【００３７】
図２では、紙幣カセット１６は、紙幣５４が集積されると、ステージ５１が下降していくステージ下降タイプを例示している。
【００３８】
図２において、紙幣カセット１６は、ステージ５１、ステージ５１の側面に設けられたディテクタ５２、上面センサ５３１、残留センサ５３２ａ及び５３２ｂ、ニアフルセンサ５３３、フル状態検知部としてのフルセンサ５３４、収納不能検知部としてのボトムセンサ５３５を有する。
【００３９】
なお、特許請求の範囲に記載のフル状態検知部は、収納部としての紙幣カセット１６のフル状態を検知するものであり、フルセンサ５３４を含むものである。
【００４０】
また、特許請求の範囲に記載の収納不能状態検知部は、収納部としての紙幣カセット１６内の現金収納不能状態を検知するものであり、ボトムセンサ５３５を含むものである。
【００４１】
ステージ５１は、上下方向に移動するものであり、当該ステージ５１の上面に紙幣を集積するものである。集積される紙幣が無い場合には、最上位（上面センサ５３１により検知される位置）にステージ５１は位置する。その後、集積される紙幣枚数が増えるにつれて、ステージ５１は下降していく。
【００４２】
上面センサ５３１は、紙幣が集積されていないステージ５１を上昇させる際、そのステージ５１の上面を検知するものである。上面センサ５３１は、例えば、送光器及び受光器を有する光センサを用いることができる。上面センサ５３１が設けられている部材は、上下方向に移動するステージ５１のディテクタ５２を通過可能な構造となっており、上面センサ５３１は、上下方向に移動するディテクタ５２を検知可能な位置に設けられている。上面センサ５３１は、ディテクタ５２を検知するとＯＮ（暗）とする検知情報を制御部２０（図６参照）に通知し、ディテクタ５２を検知していないときには、上面センサ５３１はＯＦＦ（明）とする検知情報を制御部２０に通知する。
【００４３】
残留センサ５３２ａ及び５３２ｂは、ステージ５１の上面に集積される紙幣が残留しているか否かを検知するものである。
【００４４】
ニアフルセンサ５３３は、紙幣が集積される紙幣カセット１６のニアフル状態を検知するものである。ニアフルセンサ５３３が設けられている部材も、上面センサ５３１と同様に、上下方向に移動するステージ５１のディテクタ５２を通過可能な構造となっており、ニアフルセンサ５３３は、上下方向に移動するディテクタ５２を検知可能な位置に設けられている。ニアフルセンサ５３３は、ディテクタ５２を検知するとＯＮ（暗）とする検知情報を制御部２０（図６参照）に通知し、ディテクタ５２を検知していないときには、ニアフルセンサ５３３はＯＦＦ（明）とする検知情報を制御部２０に通知する。
【００４５】
フルセンサ５３４は、紙幣が集積される紙幣カセット１６のフル状態を検知するものである。フルセンサ５３４が設けられている部材も、上面センサ５３１と同様に、上下方向に移動するステージ５１のディテクタ５２を通過可能な構造となっており、フルセンサ５３４は、上下方向に移動するディテクタ５２を検知可能な位置に設けられている。フルセンサ５３４は、ディテクタ５２を検知するとＯＮ（暗）とする検知情報を制御部２０（図６参照）に通知し、ディテクタ５２を検知していないときには、フルセンサ５３４はＯＦＦ（明）とする検知情報を制御部２０に通知する。
【００４６】
ボトムセンサ５３５は、ステージ５１が紙幣カセット１６の最下位に位置することを検知するものである。ボトムセンサ５３５が設けられている部材も、上面センサ５３１と同様に、上下方向に移動するステージ５１のディテクタ５２を通過可能な構造となっており、ボトムセンサ５３５は、上下方向に移動するディテクタ５２を検知可能な位置に設けられている。ボトムセンサ５３５は、ディテクタ５２を検知するとＯＮ（暗）とする検知情報を制御部２０（図６参照）に通知し、ディテクタ５２を検知していないときには、ボトムセンサ５３５はＯＦＦ（明）とする検知情報を制御部２０に通知する。
【００４７】
収納専用カセット１７は、紙幣集積用の紙幣カセットである。収納専用カセット１７も、通常の紙幣カセットと同様に、現金処理装置１の本体から着脱可能である。
【００４８】
収納専用カセット１７は、様々な用途に利用できる多目的な紙幣カセットとして利用できる。例えば、収納専用カセット１７は、リジェクト紙幣を収納するＲＪ庫として使用できる。つまり、紙幣認識部１４によりＲＪ判定された紙幣を収納するようにしても良い。また別の用途としては、当該現金処理装置１が取引対象としている外国紙幣を収納する紙幣カセット、偽造券等を収納する紙幣カセットとしても利用できる。
【００４９】
更に別の用途として、金種が設定されている、上述した紙幣カセット１６Ａ、１６Ｂ、１６Ｃ、１６Ｄ、１６Ｅのいずれかがフル状態のときに、入金紙幣の金種に関らず、入金紙幣を収納専用カセット１７に収納する補助的な紙幣カセット（金種限定なしの紙幣カセット）としても利用できる。
【００５０】
搬送部５は、現金処理装置１内の各ユニットの間で紙幣を搬送する部分である。搬送部５は、紙幣を搬送するために、ローラやベルト等の搬送機構を有して構成されている。また、搬送部５は、紙幣の通過状態を検出する各種センサを有している。
【００５１】
制御部２０は、現金処理装置１の各種機能を司る部分である。制御部２０の構成については後述する。
【００５２】
図６は、第１の実施形態に係る現金処理装置１の制御系の構成を示す構成図である。
【００５３】
図６において、第１の実施形態に係る現金処理装置１は、制御部２０、記憶部２１、紙幣認識部１４、搬送部１５、紙幣カセット部１６Ａ、１６Ｂ、１６Ｃ、１６Ｄ、１６Ｅのそれぞれが備える各種センサ群を有する。
【００５４】
なお、図６では、紙幣カセット部１６の各種センサ群が、上面センサ５３１、残留センサ５３２、ニアフルセンサ５３３、フルセンサ５３４、ボトムセンサ５３５である場合を例示する。
【００５５】
また、図６において、紙幣認識部１４及び搬送部１５は、図５を用いて説明した紙幣認識部１４及び搬送部１５であるため、ここでの詳細な説明は省略する。
【００５６】
制御部２０は、現金処理装置１が実行可能な各種機能を司るものである。例えば、制御部２０は、現金処理装置１の各種取引処理を制御したり、紙幣カセット１６の紙幣の収納状態を管理したり、紙幣カセット１６の収納状態に応じて入金紙幣の搬送先を制御したりする。
【００５７】
なお、制御部２０は、例えば、ＣＰＵが、ＲＯＭに格納される処理プログラムを実行することにより現金処理装置１ＡＴＭ１の各種機能を実現する。処理プログラムがインストールされることで各種機能が構築されるようにしても良く、その場合、処理プログラムは図５に例示する機能ブロックとして示すことができる。
【００５８】
制御部２０は、図５に示すように、取引処理部２０１、カセット状態管理部２０２、搬送制御部２０３を有する。
【００５９】
取引処理部２０１は、現金処理装置１における入金取引や出金取引等の各種取引の処理を行なうものである。取引処理部２０１は、現金処理装置１の操作表示部（図示しない）を通じて指示された種別の取引処理を行なう。
【００６０】
カセット状態管理部２０２は、紙幣カセット１６（１６Ａ、１６Ｂ、１６Ｃ、１６Ｄ、１６Ｅ）のそれぞれに収納されている収納状態を管理するものである。カセット状態管理部２０２は、紙幣カセット１６のそれぞれに収納する紙幣の金種に関する情報を認識している。
【００６１】
カセット状態管理部２０２は、入金取引を開始する際に、各紙幣カセット１６の紙幣集積動作が正常に実行できるか否かを確認するために、各紙幣カセット１６の各種センサからの検知情報に基づいて、集積準備動作を各紙幣カセット１６毎に行なう。この集積準備動作の詳細な説明は、後述する動作の項で行なう。
【００６２】
また、カセット状態管理部２０２は、取引処理の際（特に入金取引の際）、各紙幣カセットの収納状態を管理するために、各紙幣カセット１６の各種センサからの検知情報に基づいて、各紙幣カセット１６の集積動作を行なう。この取引処理の際の集積動作の詳細な説明は、後述する動作の項で行なう。
【００６３】
搬送制御部２０３は、搬送部１５における紙幣の搬送経路を制御するものである。搬送制御部２０３は、カセット状態管理部２０２による各紙幣カセット１６のステータス情報に基づいて、入金紙幣の搬送先を決定する。
【００６４】
記憶部２１は、制御部２０により実行される処理プログラム、各紙幣カセット１６の紙幣収納に関する情報、取引情報、取引の際に取得した情報等を記憶するものである。なお、紙幣カセット１６の紙幣収納に関する情報は、例えば、各紙幣カセット１６に収納紙幣の金種に関する設定情報、各紙幣カセット１６の収納枚数、各紙幣カセット１６のステータス情報（例えば、フル状態、ニアフル状態等）等がある。
【００６５】
（Ａ−２）第１の実施形態の動作
次に、第１の実施形態に係る現金処理装置１における紙幣の搬送処理の動作を、図面を参照しながら詳細に説明する。
【００６６】
（Ａ−２−１）紙幣の入金動作
まず、現金処理装置１における紙幣の入金動作を、図５を参照しながら説明する。
【００６７】
現金処理装置１において紙幣の入金取引を行なう場合、オペレータにより紙幣が入金口１１に投入される。投入された紙幣は、１枚ずつ搬送部１５に繰り出される。搬送部１５に繰り出された紙幣は、紙幣認識部１４を通過する。
【００６８】
紙幣認識部１４は、通過する紙幣枚数の計数及び紙幣鑑別を行なう。このとき、紙幣認識部１４が正常判定とした場合、紙幣は一時保留部１３に搬送され、紙幣は一時保留部１３に蓄積される。一方、紙幣認識部１４がＲＪ判定（異常判定）とした場合、紙幣は出金口１２−１又は１２−２に搬送されて返却される。なお、出金口１２−１又は１２−２に返却された紙幣が、再度入金口１に投入されることで紙幣認識部１４により再鑑別が可能である。
【００６９】
紙幣の入金完了後、紙幣を紙幣カセット１６に収納する場合、一時保留部１３に蓄積されている紙幣が、搬送部１５に１枚ずつ繰り出される。搬送部１５に繰り出された紙幣は、紙幣認識部１４を通過する。
【００７０】
紙幣認識部１４は、通過する紙幣枚数の計数及び紙幣鑑別を行なう。紙幣認識部１４が正常判定とした場合、紙幣は、紙幣認識部１４により判断された金種の紙幣カセット１６（１６Ａ、１６Ｂ、１６Ｃ、１６Ｄ、１６Ｅ）に向けて搬送されて、紙幣は当該紙幣カセット１６に蓄積される。一方、紙幣認識部１４がＲＪ判定（異常判定）した場合、紙幣は収納専用カセット１７に向けて搬送され、紙幣は収納専用カセット７に蓄積される。
【００７１】
なお、紙幣の入金完了後、紙幣を返却（キャンセル）する場合、一時保留部３から１枚ずつ分離された紙幣は搬送部１５に繰り出される。搬送路１５に繰り出された紙幣は、紙幣認識部１４を通過する。このとき、識別認識部１４は通過する紙幣の鑑別を行なうが、その鑑別結果（すなわち、正常判定又はＲＪ判定）に関らず、全ての紙幣が出金口１２−１又は１２−２に向けて搬送されて返却される。
【００７２】
（Ａ−２−２）紙幣の出金動作
次に、第１の実施形態に係る現金処理装置１における紙幣の出金動作を、図５を参照しながら説明する。
【００７３】
現金処理装置１において紙幣の出金取引を行なう場合、オペレータが操操作表示部（図示しない）を操作して、出金金額を指定する。このとき、オペレータは金種毎の出金金額（又は出金枚数）を指定できる。
【００７４】
紙幣カセット１６Ａ、１６Ｂ、１６Ｃ、１６Ｄ、１６Ｅのそれぞれは、指定された出金金額（金種毎の出金金額又は出金枚数を含む）に基づいて、紙幣を１枚ずつ分離して、出金枚数に対応する枚数の紙幣を搬送部１５に繰り出す。搬送部１５に繰り出された紙幣は、紙幣認識部１４を通過する。
【００７５】
紙幣認識部１４は通過する紙幣枚数を計数すると共に、紙幣の金種を確認する。また、紙幣認識部１４は、通過する紙幣の鑑別を行なう。そして、紙幣認識部１４が正常判定とした場合、紙幣は出金口１２−１又は１２−２に搬送されて出金される。また、紙幣認識部１４が異常判定（ＲＪ判定）とした場合、その紙幣はＲＪ紙幣として収納専用カセット１７に搬送され、ＲＪ紙幣として収納専用カセット１７に蓄積される。
【００７６】
なお、出金紙幣がＲＪ紙幣とみなされた場合には、出金枚数が指定枚数未満となるため、ＲＪ紙幣と判定された金種の紙幣が、当該金種の紙幣カセット１６から繰り出される。これにより、出金金額として指定された金種枚数の紙幣が出金口１２−１又は１２−２から出金される。
【００７７】
（Ａ−２−３）紙幣カセット１６への紙幣補充動作
次に、第１の実施形態に係る現金処理装置１における紙幣カセット１６への紙幣の補充動作を、図５を参照しながら詳細に説明する。
【００７８】
ここで、紙幣カセット１６への紙幣補充方法は、様々な方法を適用できる。第１の実施形態では、紙幣補充方法の一例として、以下の３通りを例示する。現金処理装置１は、以下の３通りのいずれかの方法を適用できる。
【００７９】
紙幣補充方法は、「投入口補充方法」、「カセット交換補充方法」、「カセット計数補充方法」がある。
【００８０】
「投入口補充方法」は、紙幣の入金取引及び収納動作と同様の方法を用いた方法である。つまり、いずれかの紙幣カセット１６において、紙幣の収納枚数が閾値未満となり、紙幣の補充が必要となった場合、オペレータが入金口１１に紙幣を投入する。搬送部１５に繰り出された紙幣は紙幣認識部１４を通過する。紙幣認識部１４が通過した紙幣の入金枚数及び紙幣鑑別を行ない、オペレータが入金紙幣枚数を確認する。そして、補充する入金金額を確認した後、入金紙幣が金種毎の紙幣カセット１６に搬送されて補充される。
【００８１】
「カセット交換補充方法」は、紙幣の補充が必要な紙幣カセット１６を現金処理装置１から取り外し、紙幣が充填された新しい紙幣カセット１６を現金処理装置１に装着する方法である。カセット交換補充方法の場合、現金処理装置１内の紙幣認識部１４による紙幣の計数処理を実行しない。そのため、オペレータは金種と枚数をマニュアルで現金処理装置１に登録する必要がある。
【００８２】
「カセット計数補充方法」は、ある紙幣カセット１６に収納されている紙幣を１枚ずつ分離して搬送路１５に繰り出し、その紙幣を別の紙幣カセット１６に搬送して補充する方法である。例えば、紙幣カセット１６Ｅが複数の金種の紙幣を収納できるカセットであるとする。より具体的には、紙幣カセット１６Ｅには、千円券、５千円券、一万円券等の複数の金種の紙幣が収納されているとする。紙幣カセット１６Ｅから搬送部１５に繰り出された紙幣は、紙幣認識部１４を通過する。紙幣認識部１４は、通過した紙幣の枚数及び金種を判別すると共に紙幣鑑別を行なう。そして、紙幣認識部１４により正常判定された紙幣は、紙幣認識部１４により判別された金種の紙幣カセット１６Ａ、１６Ｂ、１６Ｃ、１６Ｄのいずれかに搬送されて蓄積される。また、紙幣認識部１４が異常判定とした場合、紙幣は収納専用カセット１７に搬送されて蓄積される。
【００８３】
（Ａ−２−４）紙幣カセットから紙幣回収動作
次に、第１の実施形態に係る現金処理装置１における紙幣カセット１６からの紙幣回収動作を、図５を参照しながら詳細に説明する。
【００８４】
ここで、紙幣カセット１６からの紙幣回収方法は、様々な方法を適用できる。第１の実施形態では、紙幣回収方法の一例として、以下の３通りを例示する。現金処理装置１は、以下の３通りのいずれかの方法を適用できる。
【００８５】
紙幣回収方法は、「出金口回収方法」、「カセット交換回収方法」、「カセット計数回収方法」がある。
【００８６】
「出金口回収方法」は、紙幣の出金動作と同様の方法を用いた方法である。つまり、いずれかの紙幣カセット１６がフル状態となっており、当該紙幣カセット１６から紙幣を回収する場合、オペレータが当該紙幣カセット１６から出金口回収を指定する。指定された紙幣カセット１６は、収納している紙幣を１枚ずつ搬送部１５に繰り出す。搬送部１５に繰り出された紙幣は紙幣認識部１４を通過する。紙幣認識部１４が紙幣枚数の計数及び紙幣鑑別を行なう。紙幣認識部１４が正常判定した場合、紙幣は出金口１２−１又は１２−２に搬送されて出金される。また、紙幣認識部１４が異常判定とした場合、紙幣は収納専用カセット１７に搬送されて蓄積される。
【００８７】
「カセット交換回収方法」は、フル状態の紙幣カセット１６を現金処理装置１から取り外し、空の新しい紙幣カセット１６を現金処理装置１に装着する方法である。カセット交換回収方法の場合、現金処理装置１内の紙幣認識部１４による紙幣の計数処理を実行しない。そのため、オペレータは、フル状態の紙幣カセット１６から回収した紙幣の金種と枚数をマニュアルで数えて現金処理装置１に登録する必要がある。
【００８８】
「カセット計数回収方法」は、ある紙幣カセット１６に収納されている紙幣を１枚ずつ分離して搬送路１５に繰り出し、その紙幣を別の紙幣カセット１６に搬送して回収する方法である。
【００８９】
例えば、紙幣カセット１６Ａ、１６Ｂ、１６Ｃ、１６Ｄのいずれかが、紙幣を１枚ずつ搬送部１５に繰り出す。搬送部１５に繰り出された紙幣は、紙幣認識部１４により紙幣鑑別される。紙幣認識部１４が正常判定とした場合、紙幣は紙幣カセット１６Ｅに集積される。一方、紙幣認識部１４が異常判定とした場合、紙幣はＲＪ紙幣として収納専用カセット７に蓄積される。紙幣認識部１４により紙幣計数が全て完了した後に、オペレータは、紙幣カセット１６Ｅを現金処理装置１から取り外して、紙幣回収業務を完了する。
【００９０】
（Ａ−２−５）紙幣カセット１６の集積時のフル判定処理
次に、第１の実施形態に係る現金処理装置１における紙幣カセット１６の集積時のフル判定処理の動作を、図面を参照しながら詳細に説明する。
【００９１】
ここで、制御部２０の搬送制御部２０３は、カセット状態管理部２０２による紙幣カセットのステータス情報に基づいて、入金紙幣の搬送先を決定する。
【００９２】
そのため、カセット状態管理部２０２による紙幣カセット１６の集積時のフル判定処理の動作を説明する前に、搬送制御部２０３による搬送先の決定方法を、図７を参照して説明する。
【００９３】
図７は、第１の実施形態に係る現金処理装置１における搬送先決定処理を示すフローチャートである。
【００９４】
まず、搬送制御部２０３は、入金紙幣の搬送先である紙幣カセット１６がフル状態であるか否かを判定する（Ｓ２０１）。紙幣カセット１６のステータス情報がフル状態であるか否かの判断は、カセット状態管理部２０２が行なう。このカセット状態管理部２０２の処理については、図１を用いて後述する。
【００９５】
紙幣カセット１６がフル状態でない場合、搬送制御部２０３は、入金紙幣の搬送先を、現在の搬送中である紙幣カセット１６として決定する（Ｓ２０２）。
【００９６】
一方、紙幣カセット１６がフル状態である場合、搬送制御部２０３は、入金紙幣と同一金種の別の紙幣カセットが存在するか否かを判定する（Ｓ２０３）。そして、入金紙幣と同一金種の紙幣カセット１６が存在する場合、搬送制御部２０３は、当該他の紙幣カセットのステータス情報がフル状態であるか否かを判定する（Ｓ２０４）。そして、他の紙幣カセット１６のステータス情報がフル状態でない場合、搬送制御部２０３は、当該同一金種の他の紙幣カセット１６を搬送先として決定する（Ｓ２０５）。
【００９７】
また、Ｓ２０３で同一金種の他の紙幣カセット１６が存在しない場合、又はＳ２０４で同一金種の他の紙幣カセット１６がフル状態の場合、搬送制御部２０３は、複数の金種の紙幣を収納する収納専用カセット１７が存在するか否かを判定する（Ｓ２０６）。収納専用カセット１７が存在する場合、搬送制御部２０３は、入金紙幣の搬送先を収納専用カセット１７として決定する（Ｓ２０７）。
【００９８】
ここで、Ｓ２０６のように、搬送制御部２０３が、収納専用カセット１７の存在を判定する処理を加えている理由を説明する。これは、現金処理装置１に搭載する紙幣カセットは、任意に設定することができる。また、複数の紙幣カセットのそれぞれの用途を任意に設定できる。そのため、現金処理装置１の運用に応じて、複数の金種の紙幣を収納できる収納専用カセット１７を搭載するものも有れば、収納専用カセット１７を搭載しない場合もある。そこで、複数の金種を収納できるカセット（収納専用カセット１７）が他に存在する場合には、入金紙幣の搬送先とするために、Ｓ２０６の処理を設けている。
【００９９】
また、Ｓ２０６で、収納専用カセット１７が存在しない場合、搬送制御部２０３は、ＲＪ庫が存在するか否かを判定する（Ｓ２０８）。ＲＪ庫が存在する場合、搬送制御部２０３は、入金紙幣の搬送先を、ＲＪ庫として決定する（Ｓ２０９）。
【０１００】
一方、ＲＪ庫が存在しない場合、搬送制御部２０３は、現在の搬送先である紙幣カセットを入金紙幣の搬送先とする（Ｓ２１０）。ここで、ＲＪ庫が存在しない場合は、搬送中の紙幣カセット１６へ搬送し続ける。また、収納専用カセット１７とＲＪ庫は、「フル状態」でも搬送し続ける。
【０１０１】
例えば、紙幣カセット１６Ａと１６Ｂが、１万円券のリサイクル型紙幣カセットであり、紙幣カセット１６Ｃと１６Ｄが、千円券のリサイクル型紙幣カセットであり、紙幣カセット１６Ｅが、収納専用カセットであるとする。この場合、集積優先順位は、紙幣カセット１６Ａが最も高く、紙幣カセット１６Ｅが最も低くなる。
【０１０２】
次に、第１の実施形態に係る現金処理装置１における紙幣カセット１６の集積時のフル判定処理を、図面を参照して説明する。
【０１０３】
図１は、第１の実施形態に係る現金処理装置１における紙幣カセット１６の集積時のフル判定処理を示すフローチャートである。
【０１０４】
集積時のフル判定処理は、紙幣カセット１６Ａ、１６Ｂ、１６Ｃ、１６Ｄ、１６Ｅに共通して同じ処理を行なうことができる。そのため、説明を容易にするため、紙幣カセット１６に紙幣を入金する場合を例示する。しかし、説明を具体的に説明するために、必要に応じて、紙幣カセット１６Ａ、１６Ｂ、１６Ｃ、１６Ｄ、１６Ｅを区別して説明する。
【０１０５】
制御部２０は、紙幣カセット１６Ａ、１６Ｂ、１６Ｃ、１６Ｄ、１６Ｅのそれぞれが有する、上面センサ５３１、残留センサ５３２、ニアフルセンサ５３３、フルセンサ５３４、ボトムセンサ５３５からの検知情報を監視している。
【０１０６】
制御部２０のカセット状態管理部２０２は、紙幣カセット１６の残留センサ５３２の検知情報が「暗（ＯＮ）」であるか否かを判定する（Ｓ１０１）。残留センサ５３２の検知情報が「暗」の場合、制御部２０はステージ５１を下降する（Ｓ１０２）。なお、残留センサ５３２の検知情報が「暗」でない場合、Ｓ１０３に移行する。
【０１０７】
次に、カセット状態管理部２０２は、紙幣カセット１６のボトムセンサ５３５の検知情報が「暗（ＯＮ）」であるか否かを判定する（Ｓ１０３）。
【０１０８】
ボトムセンサ５３５の検知情報が「暗」である場合、当該紙幣カセット１６のステージ５１は下限の位置にある。そのため、カセット状態管理部２０２は、当該紙幣カセット１６のステータス状態を「フル状態」とする（Ｓ１０４）。
【０１０９】
ここで、紙幣カセット１６のステータス情報が「フル状態」となるため、搬送制御部２０３は、図７のＳ２０３以降の処理を行なう。同一金種の他の紙幣カセット１６が存在し、その同一金種の他の紙幣カセット１６がフル状態でないときには、入金紙幣は他の搬送先（この場合、同一金種の他の紙幣カセット１６）に搬送される（Ｓ１０５）。
【０１１０】
一方、Ｓ１０３において、ボトムセンサ５３５の検知情報が「暗」でない場合（すなわち、「明（ＯＦＦ）」である場合）、カセット状態管理部２０２は、フルセンサ５３４の検知情報が「暗」であるか否かを判定する（Ｓ１０６）。フルセンサ５３４の検知情報が「暗」である場合、処理はＳ１０７に移行する。フルセンサ５３４の検知情報が「暗」でない場合（すなわち「明」である場合）、処理はＳ１１０に移行する。
【０１１１】
Ｓ１０７において、搬送制御部２０３は、入金紙幣の搬送先として、他に切り替える搬送先があるか否かを判定する。
【０１１２】
ここで、「他に切り替える搬送先」とは、図７に例示する搬送先決定処理に従って判定した、現在の搬送先以外の搬送先を意図する。つまり、入金紙幣の金種と同一金種の他の紙幣カセットが存在するか、その同一金種の他の紙幣カセットのステータス情報が「フル状態」であるか、収納専用カセットがあるか、ＲＪ庫があるか等の判定を行ない、他の搬送先の有無を判定する。
【０１１３】
そして、搬送制御部２０３により、他に切り替える搬送先がある場合（Ｓ１０７）、カセット状態管理部２０２は、フルセンサ５３４の検知情報が「暗」であっても、当該紙幣カセット１６のステータス状態を「フル状態」に変更せず、現在の搬送先である紙幣カセット１６を、入金紙幣の搬送先とする（Ｓ１１２）。これにより、フルセンサ５３４の検知情報が「暗」となっている紙幣カセット１６に入金紙幣を搬送して蓄積できる。
【０１１４】
一方、Ｓ１０７において、他に切り替える搬送先が無い場合、カセット状態管理部２０２は、当該紙幣カセット１６のステータス状態を「フル状態」に変更する（Ｓ１０８）。なお、今回の一取引で入金された紙幣の集積を保障するため、今回の入金紙幣の搬送先を現在の搬送先の紙幣カセット１６として搬送する（Ｓ１０９）。
【０１１５】
ここで、具体的な例を挙げて、第１の実施形態の集積時のフル判定処理を、図１及び図８を参照して説明する。
【０１１６】
例えば、入金紙幣の金種が「１万円券」であり、紙幣カセット１６Ａ及び紙幣カセット１６Ｂが共に１万円券を集積するものであるとする。「１万円券」の入金紙幣の搬送先が紙幣カセット１６Ａであるとする。
【０１１７】
この例において、紙幣カセット１６Ａのフルセンサ５３４の検知情報が「暗」であるとする（Ｓ１０６）。
【０１１８】
従来の現金処理装置は、フルセンサ５３４の検知情報が「暗」になると、紙幣カセット１６Ａのステータス情報を「フル状態」としている。そのため、図８（Ａ）に例示するように、集積空間ＳＰが存在するにも拘らず、入金紙幣を紙幣カセット１６Ａに集積せず、他の搬送先（例えば、紙幣カセット１６Ｂ等）に搬送している。
【０１１９】
これに対して、第１の実施形態の場合、紙幣カセット１６Ａのフルセンサ５３４の検知情報が「暗」となると（Ｓ１０６）、他に切り替える搬送先を確認する（Ｓ１０７）。他に切り替える搬送先（例えば、紙幣カセット１６Ｂ）が存在する場合、カセット状態管理部２０３は、紙幣カセット１６Ａのフルセンサ５３４の検知情報が「暗」であっても、紙幣カセット１６Ａのステータス状態を「フル状態」に変更しない。
【０１２０】
そのため、次の取引で、１万円券の入金紙幣を集積する場合、入金紙幣の搬送先を紙幣カセット１６Ａとすることができる。そのため次の取引で、紙幣カセット１６Ａのボトムセンサ５３５の検知情報が「暗」でない場合（Ｓ１０３）、入金紙幣を紙幣カセット１６Ａへの集積を続行できる。
【０１２１】
これにより、次の取引においても、図８（Ｂ）に示すように、紙幣カセット１６Ａへの紙幣集積ができる。つまり、集積空間ＳＰを有効に利用して、紙幣カセット１６Ａの紙幣集積枚数を向上させることができる。
【０１２２】
一方、次の取引で、１万円券の入金紙幣を集積する場合、紙幣カセット１６Ａのボトムセンサ５３５の検知情報が「暗」である場合（Ｓ１０３）、カセット状態管理部２０２は紙幣カセット１６Ａのステータス情報を「フル状態」に変更して（Ｓ１０４）、入金紙幣を他の搬送先（例えば、紙幣カセット１６Ｂ）に搬送する（Ｓ１０５）。
【０１２３】
なお、今回の取引において、Ｓ１０７で、他に切り替える搬送先がない場合には、紙幣カセット１６Ａのステータス情報を「フル状態」に変更して（Ｓ１０８）、今回の取引で入金された紙幣の集積を保障するために、入金紙幣を紙幣カセット１６Ａに搬送する。
【０１２４】
Ｓ１１０では、カセット状態管理部２０２は、ニアフルセンサ５３３の検知情報が「暗」であるか否かを判定する（Ｓ１１０）。ニアフルセンサ５３３の検知情報が「暗」である場合、処理はＳ１１１に移行する。ニアフルセンサ５３３の検知情報が「暗」でない場合（すなわち「明」である場合）、処理はＳ１１２に移行する。
【０１２５】
Ｓ１１１では、ニアフルセンサ５３４の検知情報が「暗」である場合、カセット状態管理部２０２は、当該紙幣カセット１６のステータス状態を「ニアフル状態」とする（Ｓ１１１）。
【０１２６】
Ｓ１１２では、入金紙幣の搬送先を、現在の搬送先である紙幣カセット１６として搬送する。
【０１２７】
（Ａ−３）第１の実施形態の効果
以上のように、第１の実施形態によれば、紙幣カセットへの紙幣集積中に、フルセンサが「暗」になったときに、他に切り替える搬送先があるか確認する。また、他に切り替える搬送先がある場合は、集積中の紙幣カセットのステータス情報を「フル状態」に変更しないで、当該紙幣カセットへの紙幣集積を続ける。さらに、ボトムセンサが暗になったときに、紙幣カセットのステータス情報を「フル状態」に変更する。このようにすることで、紙幣カセットへの集積枚数を増加するという効果が得られる。
【０１２８】
例えば、従来の紙幣カセットに設けていた集積空間ＳＰが２００枚程度の紙幣を収容できるときには、２００枚程度の紙幣を集積できる。
【０１２９】
（Ｂ）第２の実施形態
次に、本発明の現金処理装置の第２の実施形態を、図面を参照しながら詳細に説明する。
【０１３０】
第２の実施形態も、第１の実施形態と同様に、金融機関等の営業店カウンタに設けられている現金処理装置に本発明を適用する場合を例示する。
【０１３１】
（Ｂ−１）第２の実施形態の構成
第２の実施形態の現金処理装置１及び紙幣カセット１６の構成は、第１の実施形態と同一又は対応するものを適用できる。そのため、第２の実施形態でも、第１の実施形態の図２、図５及び図６を用いて説明する。
【０１３２】
第２の実施形態は、集積準備の際のフル判定処理に特徴がある。そのため、第２の実施形態では、集積準備の際のフル判定処理を中心に詳細に説明する。この集積準備は、入金終了後、一時保留部１３に蓄積されている紙幣を紙幣カセット１６に収納する際に実施するものである。また、入金取引の際、出金取引の際に実施しても良い。
【０１３３】
（Ｂ−２）第２の実施形態の動作
次に、第２の実施形態に係る現金処理装置１における紙幣の搬送処理の動作を、図面を参照しながら詳細に説明する。
【０１３４】
図９は、第２の実施形態に係る現金処理装置１における紙幣カセット１６の集積準備時のフル判定処理を示すフローチャートである。
【０１３５】
集積準備時のフル判定処理は、紙幣カセット１６Ａ、１６Ｂ、１６Ｃ、１６Ｄ、１６Ｅに共通して同じ処理を行なうことができる。そのため、説明を容易にするため、紙幣カセット１６に紙幣を入金する場合を例示する。しかし、説明を具体的に説明するために、必要に応じて、紙幣カセット１６Ａ、１６Ｂ、１６Ｃ、１６Ｄ、１６Ｅを区別して説明する。
【０１３６】
制御部２０は、紙幣カセット１６Ａ、１６Ｂ、１６Ｃ、１６Ｄ、１６Ｅのそれぞれが有する、上面センサ５３１、残留センサ５３２、ニアフルセンサ５３３、フルセンサ５３４、ボトムセンサ５３５からの検知情報を監視している。
【０１３７】
制御部２０は、上面センサ５３１の検知情報が「暗（ＯＮ）」になるまで、ステージ５１の上面を上昇させる（Ｓ９２１）。上面センサ５３１の検知情報「暗」とした位置がステージ５１の上限の位置を判断する。その後、制御部２０は、ステージ５１を下降させていく。
【０１３８】
残留センサ５３２ａ及び５３２ｂの検知情報が「明」になると（Ｓ９２４）、制御部２０は、ステージ５１の下降を終了する（Ｓ９２５）。
【０１３９】
ニアフルセンサ５３３の検知情報が「暗」になると（Ｓ９２６）、制御部２０はステージ１の下降を終了して（Ｓ９２７）、カセット状態管理部２０２は、紙幣カセット１６のステータス情報を「ニアフル状態」とする（ステップ９２８）。
【０１４０】
フルセンサ５３４の検知状態が「暗」になると（Ｓ９２９）、制御部２０はステージ５１の下降を終了する（Ｓ９３０）。
【０１４１】
ここで、搬送制御部２０３は、第１の実施形態の図７に従って、他に切り替える搬送先があるか否かを判定する（Ｓ３０１）。
【０１４２】
このＳ３０１の処理は、第１の実施形態の図１のＳ１０７と同様の処理である。つまり、「他に切り替える搬送先」とは、図７に例示する搬送先決定処理に従って判定した、現在の搬送先以外の搬送先を意図する。つまり、入金紙幣の金種と同一金種の他の紙幣カセットが存在するか、その同一金種の他の紙幣カセットのステータス情報が「フル状態」であるか、収納専用カセットがあるか、ＲＪ庫があるか等の判定を行ない、他の搬送先の有無を判定する。
【０１４３】
Ｓ３０１において、他に切り替える搬送先が存在する場合、カセット状態管理部２０２は、紙幣カセット１６のステータス状態を「フル状態」に変更せず、処理を終了する。
【０１４４】
これは、集積準備時のフル判定処理の結果、紙幣カセット１６のステータス情報を「フル状態」とした場合、「フル状態」の紙幣カセット１６に紙幣を搬送しないようになる。
【０１４５】
しかし、第２の実施形態では、集積準備時に、フルセンサ５３４の検知情報が「暗」であっても、他に切り替える搬送先がある場合には、紙幣カセット１６のステータス状態を「フル状態」に変更せず、当該紙幣カセット１６に紙幣を搬送することができる。
【０１４６】
そのため、これから実施される取引で、紙幣カセット１６に紙幣を搬送して集積させることができる。その結果、図８（Ｂ）に示すように、紙幣カセット１６への紙幣集積ができる。つまり、集積空間ＳＰを有効に利用して、紙幣カセット１６の紙幣集積枚数を向上させることができる。
【０１４７】
一方、Ｓ３０１において、他に切り替える搬送先が存在しない場合、カセット状態管理部２０２は、紙幣カセット１６のステータス情報を「フル状態」とする（Ｓ９３１）。
【０１４８】
ボトムセンサ５３５の検知情報が「暗」になると（Ｓ９３２）、制御部２０はステージ５１の下降を終了して（Ｓ９３３）、カセット状態管理部２０２は紙幣カセット１６のステータス情報を「フル状態」とする（Ｓ９３４）。
【０１４９】
例えば、紙幣カセット１６Ａの集積準備中にフルセンサ５３４の検知情報が「暗」になったとする（Ｓ９２９）。
【０１５０】
他に切り替える搬送先がある場合、カセット状態管理部２０２は、紙幣カセット１６Ａのステータス情報を「フル状態」に変更はしない（Ｓ３０１）。そのため、集積準備後の紙幣収納の際、１万円券の紙幣は、紙幣カセット１６Ａへ搬送される。
【０１５１】
紙幣カセット１６Ａの集積準備中にボトムセンサ５３５の検知情報が「暗」になった場合は（Ｓ９３２）、カセット状態管理部２０２は、紙幣カセット１６Ａのステータス情報を「フル状態」に変更する（Ｓ９３３、Ｓ９３４）。
【０１５２】
集積準備後の紙幣収納処理で、１万円券の紙幣は紙幣カセット１６Ａへ搬送されずに、他に切り替える搬送先として、例えば同一金種が設定されている紙幣カセット１６Ｂがあるとする。
【０１５３】
この紙幣カセット部１６Ｂのステータス情報が「フル状態」でない場合は、紙幣カセット１６Ｂに紙幣が搬送される。一方、紙幣カセット１６Ｂが「フル状態」の場合は、他の切り替える搬送先として、次の優先順位である紙幣カセット１６Ｅに紙幣が搬送される。
【０１５４】
なお、さらに、紙幣カセット１６Ｅがない場合は、他の切り替える搬送先として優先順位の紙幣カセット１７に紙幣が搬送される。
【０１５５】
（Ｂ−３）第２の実施形態の効果
以上のように、第２の実施形態によれば、紙幣カセットの集積準備中に、フルセンサの検知情報が「暗」になったときに、他に切り替える搬送先があるか確認する。また、他に切り替える搬送先がある場合は、集積準備中の紙幣カセットのステータス情報を「フル状態」には変更せず、ボトムセンサの検知情報が「暗」になったときに「フル状態」に変更する。これにより、紙幣カセットの集積枚数を増加するという効果が得られる。
【０１５６】
（Ｃ）他の実施形態
上述した第１及び第２の実施形態においても、種々の変形実施形態を言及したが、本発明は、以下の変形実施形態にも適用できる。
【０１５７】
（Ｃ−１）上述した第１及び第２の実施形態では、営業店カウンタに設けられた現金処理装置に本発明を適用する場合を例示した。しかし、紙幣を収納する紙幣カセットを備えるＡＴＭにも本発明を適用できる。
【０１５８】
（Ｃ−２）上述した各実施形態では、紙幣カセットがニアフルセンサを備えるものである場合を例示した。しかし、紙幣カセットは、ニアフルセンサを備えないタイプのものであっても良い。
【０１５９】
（Ｃ−３）上述した第１及び第２の実施形態では、フルセンサの検知情報が「暗」になったときに、搬送制御部が図７に例示する処理フローに従って、「他に切り替える搬送先」を確認する場合を例示した。
【０１６０】
このとき、「他に切り替える搬送先」を確認する際、搬送制御部２０３は、所定の優先順位に従って、他に切り替える搬送先があるか否かを判定するようにしても良い。
【０１６１】
例えば、紙幣が紙幣カセット１６Ａに搬送される場合、同一金種の紙幣カセットとして複数の紙幣カセット１６Ｂ及び１６Ｃがあるとする。この場合、搬送制御部２０３は、紙幣カセット１６Ｂ及び１６Ｃに対して、他に切り替える搬送先として決定する優先順位を設定するようにしても良い。
【０１６２】
より具体的には、例えば、同一金種の紙幣カセット１６Ｂ及び１６Ｃのうち、紙幣の集積容量（集積枚数）が多い方を優先順位が高いものとしてよい。つまり、紙幣カセット１６Ａがフル状態となった時点で、紙幣カセット１６Ｂ及び１６Ｃの集積可能枚数が多い方を、他に切り替え可能な搬送先として決定しても良い。
【０１６３】
さらに、例えば、紙幣が紙幣カセット１６Ａに搬送される場合、同一金種の紙幣カセット１６Ｂと、複数の金種を混在収納可能な紙幣カセット１６Ｅとがあるとする。この場合、他に切り替え可能な搬送先として、同一金種の紙幣カセット１６Ｂの優先順位を高くして判断しても良い。また、この同一金種の紙幣カセット１６Ｂがフル状態の場合、次に優先順位の高い紙幣カセット１６Ｃを他に切り替え可能な搬送先として判断するようにしても良い。
【符号の説明】
【０１６４】
１…現金処理装置、２０…制御部、２０１…取引処理部、２０２…カセット状態管理部、２０３…搬送制御部、２１…記憶部、１４…紙幣認識部、１５…搬送部、１６（１６Ａ、１６Ｂ、１６Ｃ、１６Ｄ、１６Ｅ）…紙幣カセット部、１７…収納専用カセット、５３１…上面センサ、５３２…残留センサ、５３３…ニアフルセンサ、５３４…フルセンサ、５３５…ボトムセンサ５３５。
【図１】
0006540484.tif 000002
【図２】
0006540484.tif 000003
【図３】
0006540484.tif 000004
【図４】
0006540484.tif 000005
【図５】
0006540484.tif 000006
【図６】
0006540484.tif 000007
【図７】
0006540484.tif 000008
【図８】
0006540484.tif 000009
【図９】
0006540484.tif 000010